(57)【特許請求の範囲】
【請求項１】
以下の工程：
−グルコポンにトリクロサンを溶かし、均質混合物を得ること、
−クロルヘキシジン溶液をその得られた溶液に加えること、
−八ホウ酸二ナトリウム五水和物を前記溶液混合物に加えて、均質含浸溶液を得ること、
−織物製品に前記含浸溶液を負荷し、それにより、製品を抗微生物性とすること、
−織物製品をローラーに通過させ、それにより、過剰溶液を回収すること、
−含浸溶液を負荷した織物製品をオーブンに通過させることにより、乾燥させること、
−乾燥後、最終抗微生物性織物製品を得ること
を含む方法であって、
前記含浸溶液が、疎水性織物表面を親水性表面に変換し、織物表面に抗微生物特性を組み込むことを特徴とする該方法。
【請求項２】
トリクロサンを４５℃にて０．００１〜０．１％の濃度で１０％グルコポンに溶かし、均質混合物を得ることを特徴とする請求項１記載の方法。
【請求項３】
２０％クロルヘキシジン溶液を０．０５〜３％の濃度で、得られた溶液に加えることを特徴とする請求項１記載の方法。
【請求項４】
八ホウ酸二ナトリウム五水和物を均質含浸溶液に対し０．００１〜０．１％の濃度で加えることを特徴とする請求項１記載の方法。
【請求項５】
乾燥が、１２メートル／分の速度にて製品を６０℃のオーブンに通過させて行なわれることを特徴とする請求項１記載の方法。
【請求項６】
請求項１〜５のいずれかに記載の方法で得られた抗微生物性織物製品。
【請求項７】
細菌、酵母および真菌に対する抗微生物活性を有する請求項６記載の抗微生物性織物製品。
【請求項８】
大腸菌、緑膿菌、ＭＲＳＡおよび黄色ブドウ球菌の細菌種に対し有効である請求項７記載の抗微生物性織物製品。
【請求項９】
酵母、カンジダ属種に対し有効である請求項７記載の抗微生物性織物製品。
【請求項１０】
アスペルギルス属種およびペニシリウム属種の真菌種に対し有効である請求項７記載の抗微生物性織物製品。
【請求項１１】
−医学的セクター；透析フィルタ、バンドエイド、手術衣、マスク、キャップ、
外科用糸および掛け布用、
−衣服セクター；衛生を必要とする作業服における布の強化布および芯地部分；
夏用布、ショーツ、ビキニおよび水着、ならびに下着、
−衛生を必要とするベビー服、
−家庭および職場用織物；カーペット、カーテン、服飾品、テーブルクロス、
ベッド掛け、
−公共輸送車両に用いるヘッドレストカバー、
−食料を包装、貯蔵および輸送するために用い得るすべての織物製品、
−建設セクターにおける外観裏張および断熱材；微生物が増殖し、腐敗するのを
防止できる領域
に用いる、請求項６〜１０のいずれか１記載の抗微生物性織物製品。
【発明の詳細な説明】
【技術分野】
【０００１】
本発明は、抗真菌性、抗カンジダ性および抗細菌性の織物製品を得る方法に関する。
【背景技術】
【０００２】
病原性、日和見性または有益な微生物は、表面上の無機および有機栄養素ならびに水分を用いることにより増殖し、それらが位置する領域でコロニーを形成する。表面に長期間残存する表面汚染および病原体は、環境上および院内の感染リスクを増加させる。環境上の病原性負荷の減少が、院内感染の疾患低下の重要なステップであることが文献に言及されている（ウェンツェル（Wenzel）およびエドモンド（Edmond）、２００３年）。大多数の病原体は、表面に長期間生存し、接触および吸入を介する蔓延に基づき重篤な疾患を広める。バイコマイシン耐性腸球菌（Enterococcus）種（これらの病原体の最も重要なものの１つである）が、病院内のドアノブ、ベッドシーツ、ベッドレール、テーブル、壁、床および他の表面から分離されることが示されいる（ヤマグチ（Yamaguchie）ら、１９９４年）。病院内の表面が微生物の増殖に適しているので、病院に入った数時間後に、表面上の微生物は、患者の皮膚、呼吸器官、泌尿器系および生殖器系で成長および増殖し始める（グエン（Nguyen）、２００６年）。これらの理由から、特に、抑制されたまたは弱い免疫系の患者が治療される集中治療室内、緊急事態対応センターおよび他のヘルスケアユニット、育児室、幼稚園、公共輸送および他の公共区域内の全表面を抗微生物性とすることは、重要な領域となっており、これは科学者の大きな関心事である。
【０００３】
抗微生物性とされることが望ましい主要な表面は、ヒト皮膚と連続的かつ直接的に接する織物製品である。織物製品が栄養素に富み、かつ多数の織物製品が空気中の水分を保持できるので、それらは微生物につき非常に好都合な条件を提供する。滅菌が非常に重要な病院のごとき環境において、織物製品を頻繁に洗浄することまたは使い捨て製品を使用後に破棄することによる汚染リスクの低減に疲れている。また、ヘルスケアユニットで用いられる織物製品が多数の病原体をその上に提供しかねないので、これらの製品を汚さないことに加えて、その上の微生物の負荷も除去されるべきである。（フィジャン（Fijan）ら、２００５年）。織物上の微生物の負荷と感染症との間の直接的な関係を証明する科学研究はないが、ある微生物種は洗浄後にさえ織物上で生存できると言われている（ラルソン（Larson）、１９９９年）。さらに、たとえ、無菌条件下で包装されたとしても使い捨て製品は、それらが包装から取り出されるとすぐに、微生物コロニー形成に適当な環境を提供する。使い捨て製品の洗浄および使用がかかる場所での微生物負荷を低減できないので、感染リスクおよび交差汚染を減少させ、その上のいずれの微生物負荷も可能としない抗微生物性織物製品が必要である。
【０００４】
織物製品の大部分を構成する不織布のごときいくつかの製品は、本来疎水性である。しかしながら、これらの織物を用いて開発された種々の製品、特に、（衛生パッドおよびおむつのごとき）衛生用品において、吸水特性が必要である。かくして、このタイプの製品、その少なくともある部分は親水性にされるべきである。加えて、親水性織物製品は、さらに水溶性染料により行なわれるコーティングプロセスの間にも必要である。かくして、水溶性染料で行なわれる塗布に先立って、疎水性織物製品は親水性にされるべきである。これらとは別に、抗微生物性織物製品を開発するために、表面は親水性にされるべきであり、有効成分は、織物に組み込まれる（code）べきである。
【０００５】
米国特許文献番号ＵＳ２０１３１５２２７７は、抗微生物性織物製品である衣服を開示する。
【０００６】
国際特許文献番号ＷＯ２０１３０７２８８３は、抗真菌性、抗カンジダ性および抗細菌性織物製品を開示する。
【発明の概要】
【発明が解決しようとする課題】
【０００７】
本発明の目的は、使い捨てでかつ再使用可能な抗微生物性織物製品を得ることである。
【０００８】
本発明のもう一つの目的は、織物製品によって伝搬または蔓延される感染症を低減できる抗微生物性織物製品を得ることである。
【０００９】
本発明のさらなる目的は、衛生保証のために費やした余分な費用およびエネルギーを低減する抗微生物性織物製品を得ることである。
【００１０】
本発明のもう一つの目的は、疎水性織物製品を親水性織物製品に変換できる溶液を得ることである。
【課題を解決するための手段】
【００１１】
本発明の抗微生物性織物製品を得るために行なわれる方法の工程は、以下のとおりである。
【発明を実施するための形態】
【００１２】
実験的研究
実施した試験は、以下の工程：
−グルコポン（glucopon）にトリクロサンを溶かし、均質混合物を得ること、
−クロルヘキシジン溶液をその得られた溶液に加えること、
−八ホウ酸二ナトリウム五水和物溶液をトリクロサン＋クロルヘキシジン溶液に加え、均質混合物の達成に基づき抗微生物性含浸溶液を得ること
−織物製品に前記含浸溶液を負荷し、それにより、製品を抗微生物性とすること、
−織物製品をローラーに通過させ、それにより、過剰溶液を回収すること、
−含浸溶液を負荷した織物製品をオーブンに通過させることにより、乾燥させること、
−乾燥後、最終抗微生物性織物製品を得ること
を含む。
【００１３】
本発明を実現する場合、トリクロサン粉末を４５℃にて０．００１〜０．１％の濃度で穏やかな混合によって１０％グルコポン（glucopan）に溶かし、均質混合物を得た。２０％クロルヘキシジン溶液を０．０５〜３％の濃度でその調製した溶液に加えた。最後に、高純度でかつ鉱物化した八ホウ酸二ナトリウム五水和物溶液をその調製した溶液に０．００１〜０．１％の濃度で混合することにより、均質な含浸溶液を得た。
【００１４】
得られた最終混合物は、産業用デバイスの支援によって織物製品に負荷し、それにより、それらを抗微生物性とした。織物製品を含浸タンク中の含浸溶液に通過させた後、それらを産業用ローラーに通過させ、それにより、過剰溶液を回収した。含浸溶液を負荷した織物製品は、１２メートル／分の速度にて６０℃の温度のオーブンに通過させることにより乾燥させた。細菌、酵母および真菌に対する得られた織物製品の抗微生物特性は、標準ディスク拡散法を用いて評価した。
【００１５】
特性付け試験
ディスク拡散法
含浸溶液を負荷した織物製品の抗微生物特性は、標準ＮＣＣＬＳディスク拡散法を用いて検討した（ラリタ（Lalitha）、２００５年）。略言すると、１０８ｃｆｕ／ｍｌの細菌、１０６ｃｆｕ／ｍｌの酵母および１０４ｓｐｏｒ／ｍｌの真菌を含む１００μｌ溶液を新しい培養液で調製し、各々、トリプチカーゼ（Trypticase）大豆寒天培地（ＴＳＡ）、サブロー・デキストロース寒天培地（ＳＤＡ）およびポテトデキストロース寒天培地（ＰＤＡ）の拡散法で接種した。所定濃度のトリクロサン、クロルヘキシジンおよび八ホウ酸二ナトリウム五水和物を含む含浸溶液を負荷した織物製品から裁断した約１×１ｃｍの切片を接種後のペトリ皿に配置した。含浸溶液を負荷しなかった無負荷の織物製品を陰性対照として用いた。陽性対照として、細菌についてオフロキサシン（５μｇ／ディスク）を用い、酵母および真菌についてナイスタチン（１００ｕ／ディスク）を用いた。接種し、その上に織物製品を配置したペトリ皿を３６±１℃にて細菌では２４時間、酵母では４８時間、また、真菌では２５±１℃にて７２時間維持した。標準ディスク拡散法において試験した微生物に対する抗微生物活性は、阻止帯の測定により評価した。すべての試験を少なくとも２回繰り返した。試験した織物製品の抗微生物活性結果を表１に要約する。
【００１６】
実験結果
抗微生物試験結果
試験した微生物に対する阻止帯は、本発明の抗微生物性織物製品を得るために適用した方法により調製したトリクロサン、クロルヘキシジンおよび八ホウ酸二ナトリウム五水和物を含む含浸溶液を負荷した織物製品から裁断した切片の周囲で観察したが、阻止帯は対照群においては織物製品の切片の周囲で検出しなかった（表１）。抗細菌性、抗カンジダ性および抗真菌性は、最適化濃度の活性分子で調製した含浸溶液を用いて織物製品に与えた。
【００１７】
【表１】
0006698531.tif 000002
【００１８】
本発明の適用
本発明の製品は、大腸菌、緑膿菌、ＭＲＳＡおよび黄色ブドウ球菌 細菌；酵母、カンジダ属種；ならびに真菌種、アスペルギルス属種およびペニシリウム属種に対し有効である。
【００１９】
本発明が適用される疎水性不織布試料において、グルコポン＋トリクロサン＋クロルヘキシジン＋八ホウ酸二ナトリウム五水和物＋蒸留水（ｄＨ２Ｏ）の溶液は、疎水性表面を親水性表面に変換させることによって、抗微生物性混合物が織物製品に組み込まれることを可能にする。
【００２０】
これらの織物製品は、以下に使用できる：
−特に、医学的セクター；透析フィルタ、バンドエイド、手術衣、マスク、
キャップ、外科用糸および掛け布用、
−衣服セクター；衛生を必要とする作業服における強化布および芯地のごとき
布部分、
−下着および夏用布（summer cloth）、例えば、水分に多分に曝露され、細菌の
再生に適当な設定を提供するショーツ、ビキニおよび水着
−衛生を必要とするベビー服、
−家庭および職場用織物；カーペット、カーテン、服飾品、テーブルクロス、
ベッド掛け、
−公共輸送車両中の衛生を必要とするヘッドレストカバーおよび他の織物製品、
−食料を包装、貯蔵および輸送するために用い得るすべての織物製品、
−建設セクターにおける外観裏張（facade lining）および断熱材；微生物が
増殖し、腐敗するのを防止できる領域。
【００２１】
参考文献
Wenzel, R. P. and Edmond, M. B. (2003). "Listening to SARS: lessons for infection control." Annals of internal medicine 139(7): 592-593.
Yamaguchie, E., Valena, F., Smith, S. M., Simmons, A. and Eng, R. H. (1994). "Colonization pattern of vancomycin-resistant Enterococcus faecium." American journal of infection control 22(4): 202-206.
Nguyen, Q. V. (2006). "Hospital-acquired infections." eMedicine, August 21.
Fijan, S., Sostar-Turk, S. and Cencic, A. (2005). "Implementing hygiene monitoring systems in hospital laundries in order to reduce microbial contamination of hospital textiles." The Journal of hospital infection 61(1): 30.
Larson, E. L. (1999). "Home hygiene: a reemerging issue for the new millennium." American journal of infection control 27(6): S1-S3.
Lalitha, M. (2005). "Manual on antimicrobial susceptibility testing." http://www.ijmm.org/documents/Antimicrobial.doc.